(57)【特許請求の範囲】
【請求項１】
シート状で光透過性を有する基材の光が射出する側の一方の面に複数の単位レンズを配列してなるレンチキュラーを有する光学シートであって、
前記単位レンズは、両側に湾曲側面を有する複数のプリズムレンズを前記単位レンズの配列方向に一部重ねて一体化した複合レンズ形状であると共に、
単一の前記プリズムレンズのピッチをＰ０とし、前記単位レンズにおける一の前記プリズムレンズと隣接する他の前記プリズムレンズとの前記単位レンズの配列方向にずれた重ならない距離をシフト量Δとしたとき、
（１／５）Ｐ０≦Δ≦（２／３）Ｐ０ …（１）
となると共に、前記プリズムレンズの湾曲側面はそのレンズ形状が下記（２）式によって規定されることで形成されており、前記プリズムレンズの一端部から延びる前記湾曲側面の他端部における接線の前記基材の面に対する傾斜角度θが２５°以上５０°以下とされていることを特徴とする光学シート。
【数１】
0005217404.tif 000004
また、上記（２）式において、前記単位レンズのピッチを１と正規化したとき、ｚは前記単位レンズの高さ方向の位置関数、rは前記単位レンズの幅方向の位置変数、係数ｋは、ｋ＝０で球面、−１＜ｋ＜０で楕円、ｋ＝−１で放物面、ｋ＜−１で双曲面となり、１／Ｒはｒにかかる係数であり、Ａ、Ｂ、Ｃは補正項係数である。
【請求項２】
前記プリズムレンズにおける湾曲側面の他端部は当該プリズムレンズの頂部に達していることを特徴とする請求項１に記載の光学シート。
【請求項３】
前記プリズムレンズにおける湾曲側面の他端部は当該プリズムレンズの頂部に到達しない位置にあり、前記他端部から頂部までのレンズ形状が略直線状であることを特徴とする請求項１に記載の光学シート。
【請求項４】
前記プリズムレンズの頂部は凸曲面形状であり、その曲率半径をRとしたとき、
Ｒ≦Ｐ０／５
であることを特徴とする請求項２乃至３のいずれかに記載の光学シート。
【請求項５】
前記プリズムレンズは両側の湾曲側面が頂部に対して対称なレンズ形状を有していることを特徴とする請求項１乃至４のいずれかに記載の光学シート。
【請求項６】
前記単位レンズは、そのピッチが不規則なランダムに設定されていることを特徴とする請求項１乃至５のいずれかに記載の光学シート。
【請求項７】
前記単位レンズは、そのピッチが不規則なランダムに設定されていると共に、前記プリズムレンズのシフト量Δは前記（１）式の範囲内でランダムに設定されていることを特徴とする請求項１乃至５のいずれかに記載の光学シート。
【請求項８】
前記単位レンズは、前記基材からのレンズ高さが一定であることを特徴とする請求項１乃至７のいずれかに記載の光学シート。
【請求項９】
隣り合う二つの前記単位レンズの間の谷部と、前記単位レンズの隣り合う二つの前記プリズムレンズの間の谷部とは、それぞれ凹曲面状に形成されていることを特徴とする請求項１乃至８のいずれかに記載の光学シート。
【請求項１０】
前記基材における前記一方の面に対向する他方の面には、前記単位レンズ間の谷部に対向する位置に凸部が形成されていることを特徴とする請求項１乃至９のいずれかに記載の光学シート。
【請求項１１】
前記凸部のピッチは前記単位レンズのピッチの整数倍であることを特徴とする請求項１０に記載の光学シート。
【請求項１２】
前記単位レンズ間の谷部と前記凸部の中心とのズレ量は、前記単位レンズピッチの１０％以内とされていることを特徴とする、請求項１０または１１に記載の光学シート。
【請求項１３】
表示画像を規定する画像表示素子の背面に設けられている光源と、
前記光源から光の出射方向前方に配設されている請求項１乃至１２の何れか１項に記載の光学シートと
を備えることを特徴とするディスプレイ用バックライト・ユニット。
【請求項１４】
画素単位での透過／遮光に応じて表示画像を規定する画像表示素子と、
前記画像表示素子の背面に設けられていて請求項１３に記載のディスプレイ用バックライト・ユニットと
を備えることを特徴とする表示装置。
【発明の詳細な説明】
【技術分野】
【０００１】
本発明は、主にフラットパネルディスプレイに代表される光学表示装置における照明光路制御に使用される光学シート、これを用いたバックライト・ユニット及び表示装置に関するものである。
【背景技術】
【０００２】
近年、ＴＦＴ型液晶パネルやＳＴＮ型液晶パネルを使用した液晶表示装置は、主としてＯＡ分野のカラーノートＰＣ（パーソナルコンピュータ）を中心に商品化されている。このような液晶表示装置においては、液晶パネルの背面側（観察者側）に光源を配置し、この光源からの光で液晶パネルを照明する方式、いわゆるバックライト方式が採用されている。
【０００３】
この種のバックライト方式に採用されているバックライト・ユニットとしては、大別して冷陰極管（ＣＣＦＬ）等の光源ランプを光透過性に優れたアクリル樹脂等からなる平板状の導光板内で多重反射させる「導光板ライトガイド方式」（いわゆる、エッジライト方式）と、導光板を用いないで光源ランプからの光を照射する「直下型方式」とがある。
【０００４】
導光板ライトガイド方式のバックライト・ユニットが搭載された液晶表示装置としては、例えば図１５に示すものが一般に知られている。
この液晶表示装置は、上部に偏光板７１，７３に液晶素子７２が挟まれた液晶パネルが設けられ、その下側に、略長方形板状のＰＭＭＡ（ポリメチルメタクリレート）やアクリル等の透明な基材からなる導光板７９が設置されており、導光板７９の上面（光射出側）に拡散フィルム（拡散層）７８が設けられている。
【０００５】
さらに、この導光板７９の下面に、導光板７９に導入された光を効率よく液晶パネル方向に均一となるように散乱して反射させるための散乱反射パターン部が印刷などによって設けられている（図示せず）と共に、散乱反射パターン部の下方に反射フィルム（反射層）７７が設けられている。
散乱反射パターン部は、白色である二酸化チタン（ＴｉＯ2）粉末を透明な接着剤等の溶液に混合した混合物を、所定パターン、例えばドットパターンに印刷して乾燥、形成したものであり、導光板７９内に入射した光に指向性を付与し、光射出面側へと導くようになっており、高輝度化を図るための工夫である。
また、導光板７９には側端部に光源ランプ７６が取り付けられている。光源ランプ７６の光を効率よく導光板７９中に入射させるべく、光源ランプ７６の背面側を覆うようにして高反射率のランプリフレクター８１が設けられている。
【０００６】
さらに、最近では、光利用効率をアップして高輝度化を図るべく、図１６に示すように、拡散フィルム７８と液晶パネルとの間に、光集光機能を備えたプリズムフィルム（プリズム層）７４，７５を設けることが提案されている。このプリズムフィルム７４，７５は導光板７９の光射出面から射出され、拡散フィルム７８で拡散された光を高効率で液晶素子７２の有効表示エリアに集光させるものである。
【０００７】
しかしながら、図１５に例示した液晶表示装置では、視野角の制御は、拡散フィルム７８の拡散性のみに委ねられており、その制御は難しく、ディスプレイの正面方向の中心部は明るく、周辺部に行くほど暗くなる特性は避けられない。そのため、液晶画面を横方向から見たときの輝度の低下が大きく、光の利用効率の低下を招いていた。
さらに、図１６に例示したプリズムフィルム７４，７５を用いる装置では、プリズムフィルム７４，７５が２枚必要であるため、プリズムフィルム７４，７５の光吸収による光量の低下が大きいだけでなく、部材数の増加によりコストが上昇する原因にもなっていた。
【０００８】
一方、直下型方式のバックライトユニットは、導光板の利用が困難な大型の液晶ＴＶなどの表示装置に用いられている。
直下型方式の液晶表示装置としては、図１７に例示する装置が一般的に知られている。この装置においては、上部に偏光板７１、７３に液晶素子７２が挟まれた液晶パネルが設けられ、その下側に蛍光管等からなる光源５１から射出され、拡散フィルム８２のような光学シートで拡散された光を、高効率で液晶パネルの有効表示エリアに集光させるものである。  光源５１からの光を効率よく照明光として利用するために、光源５１の背面には、リフレター５２が配置されている。
【０００９】
しかしながら、図１７に例示する装置でも、視野角の制御は拡散フィルム８２の拡散性のみに委ねられており、その制御は難しく、ディスプレイの正面方向の中心部は明るく、周辺部にいくほど暗くなる特性は避けられない。そのため、この場合も液晶画面を横方向から見たときの輝度の低下が大きく、光の利用効率の低下を招いていた。
【００１０】
そのため、一つの解決手段として、図１８に示すように、拡散フィルム８５の上に図１９に示す米国３Ｍ社の登録商標である輝度強調フィルム（Ｂｒｉｇｈｔｎｅｓｓ  Ｅｎｈａｎｃｅｍｅｎｔ  Ｆｉｌｍ：ＢＥＦ）８６を配置し、さらにその上に光拡散フィルム８７を配置する装置が採用されている。ここでＢＥＦとは、透明部材上に断面三角形状の単位プリズムが一方向に周期的に配列されたフィルムである。
このプリズムは光の波長に比較して大きいサイズ（ピッチ）である。ＢＥＦは、“軸外（ｏｆｆ−ａｘｉｓ）”からの光を集光し、この光を視聴者に向けて“軸上（ｏｎ−ａｘｉｓ）”に方向転換（ｒｅｄｉｒｅｃｔ）または“リサイクル（ｒｅｃｙｃｌｅ）”する。
【００１１】
ディスプレイの使用時（観察時）に、ＢＥＦ８６は軸外輝度を低下させることによって軸上輝度を増大させる。ここでいう「軸上」とは、視聴者の視覚方向に一致する方向であり、一般的にはディスプレイ画面に対する法線方向である。
プリズムの反復的アレイ構造が１方向のみの並列では、その並列方向での方向転換またはリサイクルのみが可能である。水平面内で互いに直交する二方向での表示光の輝度制御を行なうために、プリズム群の並列方向が互いに略直交するように、２枚のＢＥＦ８６を重ねて組み合わせて用いられる。
【００１２】
ＢＥＦ８６の採用により、ディスプレイ設計者が電力消費を低減しながら所望の軸上輝度を達成することができるようになった。
ＢＥＦ８６に代表されるプリズムの反復的アレイ構造を有する輝度制御部材をディスプレイに採用する旨が開示されている特許文献としては、下記特許文献１乃至３に例示されるように多数のものが知られている。
上記のようなＢＥＦ８６を輝度制御部材として用いた光学シート８８では、屈折作用によって、光源からの光が、最終的には、制御された角度でＢＥＦ８６より出射されることによって、視聴者の視覚方向の光の強度を高めるように制御することができる。
【００１３】
しかしながら、このようなＢＥＦを含む光学シートを用いても、視聴者の視覚方向と共に視聴者の視覚方向から外れた横方向に無駄に出射する、想定外の光線が存在する。そのため、ＢＥＦ８６を用いた光学シート８８から出射される光強度分布は、図２０の光強度分布図において破線で示すように、視聴者の視覚方向すなわち視覚方向Ｆに対する光の出射角度０°（軸上方向にあたる）における光強度が最も高められるものの、正面より±９０°近辺に小さな光強度ピークが生じる光、即ちサイドローブが増えてしまうという問題がある。サイドローブ光は視覚方向から外れた横方向に無駄に出射される。
このような光強度ピークを有する輝度分布は望ましくなく、±９０°近辺での無駄な光強度ピークのない図２０で実線で示すような正規分布状の滑らかな輝度分布が望ましい。
また、軸上輝度のみが過度に向上すると、輝度分布の曲線のピーク幅が著しく狭くなり、視域が極端に限定されるため、ピーク幅を適度に拡げるために上述のようにプリズムシートとは別部材の光拡散フィルムを新たに併用する必要があり、部材数の増加を伴ってしまうという問題がある。
【００１４】
また、上述の光学シートは、光の利用効率の向上だけでなく、光源のムラの除去、ディスプレイの視域の確保など様々な機能が求められており、一般的には複数枚の光学シートを重ね合わせることによって構成されている。しかしながら、光学シートの構成枚数が多いとディスプレイの組立て時の作業が煩雑になり、また光学シートの間に付着するゴミの影響を受け易く、小型化や薄型化の妨げになるなどの問題がある。
一方、このような光学シートを備えた液晶表示装置では、軽量、低消費電力、高輝度、薄型であることが市場ニーズとして強く要請されており、それに伴い、液晶表示装置に搭載されるバックライト・ユニットも、軽量、低消費電力、高輝度であることが要求されている。
特に最近、目覚しい発展をみるカラー液晶表示装置においては、液晶パネルのパネル透過率がモノクロ対応の液晶パネルに比べて格段に低く、そのため、バックライト・ユニットの輝度向上を図ることが、装置自体の低消費電力を得るために必須となっている。
【００１５】
しかしながら、上述したように従来の装置では、高輝度、低消費電力の要請に充分に応えられているとは言いがたく、ユーザからは低価格、高輝度、高表示品位で、低消費電力の液晶表示装置を実現できるバックライト・ユニット及びディスプレイ装置の開発が待ち望まれている。
【特許文献１】特公平１−３７８０１号公報
【特許文献２】特開平６−１０２５０６号公報
【特許文献３】特表平１０−５０６５００号公報
【発明の開示】
【発明が解決しようとする課題】
【００１６】
本発明は、このような実情に鑑みてなされたものであり、高輝度で広い視野角を有する光学特性を備えた光学シート、この光学シートを用いたバックライト・ユニット及び表示装置を提供することを目的とする。
【課題を解決するための手段】
【００１７】
上記目的を達成するために、本発明による光学シートは、シート状で光透過性を有する基材の光が射出する側の一方の面に複数の単位レンズを配列してなるレンチキュラーを有する光学シートであって、単位レンズは、両側に湾曲側面を有する複数のプリズムレンズを単位レンズの配列方向に一部重ねて一体化した複合レンズ形状であると共に、単一のプリズムレンズのピッチをＰ０とし、単位レンズにおける一のプリズムレンズと隣接する他のプリズムレンズとの単位レンズの配列方向にずれた重ならない距離をシフト量Δとしたとき、
（１／５）Ｐ０≦Δ≦（２／３）Ｐ０ …（１） 
となり、プリズムレンズの湾曲側面はそのレンズ形状が下記（２）式によって規定されることで形成されており、プリズムレンズの一端部から延びる湾曲側面の他端部における接線の基材の面に対する傾斜角度θが２５°以上５０°以下とされていることを特徴とする。
【００１９】
【数１】
0005217404.tif 000002
【００２０】
また、上記（２）式において、単位レンズのピッチを１と正規化したとき、ｚは単位レンズの高さ方向の位置関数、rは前記単位レンズの幅方向の位置変数、係数ｋは、ｋ＝０で球面、−１＜ｋ＜０で楕円、ｋ＝−１で放物面、ｋ＜−１で双曲面となり、１／Ｒはｒにかかる係数であり、Ａ、Ｂ、Ｃは補正項係数である。
本発明による光学シートによれば、単位レンズは湾曲側面を有する複数のプリズムレンズを一部重ねて一体化した複合レンズ形状で形成したから、複数のプリズムレンズの湾曲側面による集光効果が大きく高輝度で広い視野角を得られ、サイドローブを抑制できるために視覚方向を外れた無駄な光を低減できる。
しかも、単位レンズの湾曲側面が（２）式で規定するレンズ形状によって形成されているために集光効果を高めることができ、また湾曲側面の他端部での接線の傾斜角度θを２５°〜５０°の範囲に設定したことで集光効果と視野範囲のバランスを確保できる。しかも、湾曲側面は上記（２）式で規定する外側に凸をなす湾曲形状と傾斜角度θとがマッチした範囲でのみ集光効果と視野範囲のバランスがとれた光学シートが得られ、（２）式における各係数が規定した範囲から外れると集光効果が得られないか、或いはサイドローブが生じ易くなる。
【００２１】
また、プリズムレンズにおける湾曲側面の他端部は当該プリズムレンズの頂部に達していることが好ましく、これによって複数のプリズムレンズを一部重ねて複合化させた単位レンズの集光効果を高めることができる。
また、プリズムレンズにおける湾曲側面の他端部は当該プリズムレンズの頂部に到達しない途中位置にあり、他端部から頂部までのレンズ形状が略直線状であってもよい。
プリズムレンズの先端部のレンズ形状を直線状とすることで、この領域の視野範囲をより狭めて集光効果を高めることができる。
【００２２】
また、プリズムレンズの頂部は凸曲面形状であり、その曲率半径をRとしたとき、
Ｒ≦Ｐ０／５
であることが好ましい。このような構成は、湾曲側面が頂部に達するプリズムレンズや湾曲側面の他端部から頂部までが略直線状をなす山形形状のものにも採用できる。
プリズムレンズの頂部が例えば曲率半径Ｒをなす円弧状等の凸曲面状に形成されていることで視野範囲が広がり耐摩耗性が向上する。一方、頂部の曲率半径ＲがＰ０／５より大きいと輝度低下につながる。
また、プリズムレンズは両側の湾曲側面と先端部が頂部に対して対称なレンズ形状を有することが好ましく、これによって視野範囲と輝度とのバランスがとれる。
【００２３】
また、単位レンズはそのピッチ（Ｐ）が不規則なランダムに設定されていてもよく、或いは、単位レンズはそのピッチ（Ｐ）が不規則なランダムに設定されていると共にプリズムレンズのシフト量Δは（１）式の範囲内でランダムに設定されていてもよい。
これによってモアレの発生を抑制できる。
また、単位レンズは基材からのレンズ高さが一定であることが好 ましく、外観上におけるムラをなくすことができる。
また、隣り合う二つの単位レンズの間の谷部と、単位レンズの隣り合う二つのプリズムレンズの間の谷部とは、それぞれ凹曲面状に形成されていることが好ましい。
これにより、視野範囲が広がると共に谷部の谷線が見えずらくなることでモアレコントラスト低減の効果を期待できる。
【００２４】
本発明による光学シートは、基材における一方の面に対向する他方の面には、単位レンズ間の谷部に対向する位置に凸部が形成されていることが好ましい。
光学シートの基材における他方の面に、単位レンズ間の谷部に対向する位置に凸部を形成したことで単位レンズに対向する位置には凹部が形成されており、凹部内に空気層が形成されるため、輝度の低下を最小限に抑えることができる。しかも、凹部の両側に位置する凸部で光学シートを光拡散層と一体化することが可能になる。
また、凸部のピッチは単位レンズのピッチの整数倍であることが好ましく、これにより単位レンズと凹部との間にモアレを生じることはない。
更に、単位レンズ間の谷部と凸部の中心とのズレ量は、単位レンズピッチの１０％以内とされていてもよい。
単位レンズ間の谷部と凸部の中心とのズレ量を単位レンズピッチの１０％以内に収めることで、単位レンズの最も集光効果の高いレンズ中心部への入射面に空気層を確実に確保できるため単位レンズ中心部の輝度低下を最小限に抑えることができる。
【００２５】
本発明によるディスプレイ用バックライト・ユニットは、表示画像を規定する画像表示素子の背面に設けられている光源と、光源から光の出射方向前方に配設されている請求項１乃至１３の何れか１項に記載の光学シートとを備えることを特徴とする。
本発明によれば、上述した光学シートを採用することで、直下型やサイドエッジ型のバックライト・ユニットにおいて、隣接する光源同士の間に暗い箇所が生じる等の視認性に悪影響を与えることがなく高輝度の特性が得られる。
【００２６】
本発明による表示装置は、画素単位での透過／遮光に応じて表示画像を規定する画像表示素子と、画像表示素子の背面に設けられていて請求項１４に記載のディスプレイ用バックライト・ユニットとを備えることを特徴とする。
本発明による表示装置によれば、視野角が広くサイドローブを抑えて高輝度の表示特性が得られ、しかも本発明による光学シートを採用したことで、薄型化できて強度が高く部品点数を低減できる。  
【発明の効果】
【００２７】
上述したように、本発明に係る光学シートによれば、単位レンズの湾曲側面による集光効果が高く、しかもシフト量Δを（１）式で規定した範囲に設定したことで視野範囲を拡大できると共に高輝度でサイドローブを抑制して視覚方向を外れた無駄な光を低減できるという効果を奏する。
また本発明による光学シートを含むバックライト・ユニット及び表示装置によれば、上述した光学シートを採用することで、集光効果が高く、隣接する光源同士の間に暗い箇所が生じる等の視認性に悪影響を与えることがなく、視野角が広くサイドローブを抑えて高輝度の特性が得られる。しかも本発明による光学シートを採用したことで、例えば従来のこの種の装置のように２枚のプリズムフィルムやＢＥＦ等を設ける必要がなくなる等、部品点数を削減できると共に従来構成と比較して薄型で所望の輝度や配光範囲、均一性などを達成できる。
【発明を実施するための最良の形態】
【００２８】
以下、本発明の実施の形態を図面に基づいて詳細に説明する。
図１乃至図８は本発明の第一実施形態による光学シートとディスプレイ装置を示すものであり、図１は本発明の実施の形態による光学シートを含むディスプレイ装置の縦断面図、図２は図１のバックライトユニットに用いられる光学シートの斜視図、図３、図４は同じく正面図、平面図、図５は光学シートに入射する光の透過特性を示す図、図６は単位レンズのプリズムレンズの形状を示す図、図７はプリズムレンズの態様を示す断面図、図８は単位レンズにおけるプリズムレンズのシフト量と光学特性との関係を示す図である。
図１に示す本発明の第一実施形態による光学シートを含むディスプレイ装置１は、バックライト・ユニット２と画像表示素子としての液晶パネル３とで構成されている。バックライト・ユニット２は、ランプハウス４内に所定間隔で収納された例えばシリンダー形状の複数の光源５と、各光源５から進入する光Ｈを拡散する光拡散層としての光拡散板６と、光拡散板６を透過した光を液晶パネル３に供給する光学シート７とを概略で備えている。
液晶パネル３は偏光板８，８間に液晶素子９が挟持されて構成されている。そのため、本実施形態によるディスプレイ装置１は液晶表示装置を示すが、これに限らず、上述の光学シート７を含んだ投射スクリーン装置、プラズマディスプレイ、ＥＬディスプレイ等、画像を光により表示する表示装置であればディスプレイ装置１の種類は問わない。
【００２９】
バックライト・ユニット２において、ランプハウス４に設けた各光源５は、本実施形態では冷陰極蛍光ランプを用いているが、これに代えて近年、ディスプレイ用光源として注目を浴びているＬＥＤ、ＥＬ、半導体レーザー等を用いてもよい。
ここで、ディスプレイ装置１の光源５としてＬＥＤを用いる場合、赤色、緑色、青色のＬＥＤのアレイを使用し、導光板等で赤色、緑色、青色のＬＥＤのアレイからの光を混ぜ合わせて白色光として均一に出射するものや、拡散板等を用いた赤色、緑色、青色のＬＥＤのアレイからの光を混ぜ合わせて白色光として均一に出射することができるものにも使用できる。  
ランプハウス４の背面には光反射板１１が配設され、複数の光源５から背面側に出射する光を液晶パネル３側に反射させて集光するようにしている。
【００３０】
ランプハウス４の前方に配設された光拡散板６は、透明樹脂とこの透明樹脂の中に分散された透明粒子とで構成されている。これら透明樹脂の屈折率と透明粒子の屈折率が異なるものである必要がある。透明樹脂の屈折率と透明粒子の屈折率の差は０．０２以上であることが望ましい。屈折率の差がこれより小さいと十分な光散乱性能が得られない。また、その屈折率差は０．５以下でよい。屈折率差が０．５より大きいと光の散乱の度合いが大きくなり、光を液晶パネル３に向けて十分集光させることができなくなるおそれがある。
光拡散板６は、この光拡散板６に入射した光Ｈを散乱させながら透過させる必要がある。このため、光拡散板６に含まれる透明粒子の平均粒径は０．５〜１０．０μｍであることが望ましい。好ましくは１．０〜５．０μｍである。或いは、透明粒子に代えて光拡散板６の透明樹脂中に空気を含む微細な空洞を分散して設けてもよい。この場合、透明樹脂と空洞中の空気との屈折率差で拡散性能を得ることができる。
【００３１】
光拡散板６の透明樹脂としては、例えばポリカーボネート樹脂、アクリル系樹脂、フッ素系アクリル樹脂、シリコーン系アクリル樹脂、エポキシアクリレート樹脂、ポリスチレン樹脂、シクロオレフィンポリマー、メチルスチレン樹脂、フルオレン樹脂、ＰＥＴ、ポリプロピレン等を使用することができる。
ポリカーボネート樹脂、ポリスチレン樹脂、メチルスチレン樹脂及びシクロオレフィンポリマーの線膨張係数は、それぞれ６．７×１０-5（ｃｍ／ｃｍ／℃）、７×１０-5（ｃｍ／ｃｍ／℃）、７×１０-5（ｃｍ／ｃｍ／℃）、６〜７×１０-5（ｃｍ／ｃｍ／℃）である。
ここで、光学シート７が例えばＰＥＴを含む場合、ＰＥＴの線膨張係数は２．７×１０-5（ｃｍ／ｃｍ／℃）であるから光拡散板６の上述した線膨張係数の方が大きい。この場合、光学シート７が熱を受けて変形する場合には光拡散板６側に反りが発生する。
しかしながら、本発明の実施の形態では、光学シート７の線膨張係数が小さいことを考慮し、光拡散板６の線膨張係数を７．０×１０-5（ｃｍ／ｃｍ／℃）より小さくすることにより上述の変形を防止することが可能である。
なお、光学シート７としてポリカーボネート樹脂を用いて押出し方法で作成する場合には、その線膨張係数が光拡散板６の透明樹脂とほぼ同等であるため、そりは発生しない。
【００３２】
また、透明粒子として、無機酸化物からなる透明粒子又は樹脂からなる透明粒子を使用できる。例えば、無機酸化物からなる透明粒子としてはシリカやアルミナ等からなる粒子を挙げることができる。また、樹脂からなる透明粒子としてはアクリル粒子、スチレン粒子、スチレンアクリル粒子及びその架橋体；メラミン−ホルマリン縮合物の粒子、ＰＴＦＥ（ポリテトラフルオロエチレン）、ＰＦＡ（ペルフルオロアルコキシ樹脂）、ＦＥＰ（テトラフルオロエチレン−ヘキサフルオロプロピレン共重合体）、ＰＶＤＦ（ポリフルオロビニリデン）、及びＥＴＦＥ（エチレン?テトラフルオロエチレン共重合体）等の含フッ素ポリマー粒子、シリコーン樹脂粒子等を挙げることができる。
これら透明粒子は、２種類以上を混合して使用してもよい。
そして、上述した透明樹脂中に透明粒子を分散して押出し成形することにより、板状の光拡散板６を製造することができる。その厚みは１〜５ｍｍであることが望ましい。厚さが１ｍｍ未満の場合には光拡散板２５が薄く腰がないのでたわむという欠点があり、５ｍｍを越えると、光源５からの光の透過率が悪くなるという欠点がある。
【００３３】
次に、光拡散板６と液晶パネル３との間に配設された光学シート７について説明する。
図２乃至図４に示す光学シート７は、透光性の基材１３上に複合プリズムレンズである略かまぼこ形状の単位レンズ１４が同一方向に配列されて構成されている。
単位レンズ１４は、図３に示すように、断面視略凸レンズの略半分の形状をなす二つのプリズムレンズ１５、１５が一部重なって且つ単位レンズ１４の配列方向にシフト量Δだけズレて複合化（一体化）された例えば略花びら形状をなしている。二つのプリズムレンズ１５、１５は本実施形態ではそれぞれ左右対称をなす同一形状とするが、必ずしも同一である必要はない。
シフト量Δは、プリズムレンズ１５の配列ピッチをＰ０とした場合、下記の（１）式の
の範囲に設定される。
（１／５）Ｐ０≦Δ≦（２／３）Ｐ０          …（１）  
ここで、シフト量Δが下限値（１／５）Ｐ０より小さいと集光効果が小さく、上限値（２／３）Ｐ０を越えるとサイドローブが生じ易いため望ましくない。
【００３４】
（１）式について更に説明する。プリズムレンズ１５のピッチＰ０に対するシフト量Δを１０％、２０％、４０％、６６％、７５％に設定した各単位レンズ１４を配列した光学シート７をそれぞれ製作した。これらの各光学シート７を図１に示すバックライト・ユニット２に順次装着して、光源５から均一な光を照射して光強度を測定すると、図８（ａ）〜（ｅ）に示す光強度が得られた。
図８（ａ）〜（ｅ）において、（１）式で示すシフト量Δを種々変更させた場合の視野方向に対する光強度を示すものであり、横軸に０°を軸上方向とした視野方向に対する角度（−９０°〜＋９０°）を示すものであり、縦軸の光強度を輝度（ｃｄ／ｃｍ2）で示す。図８（ａ）〜（ｅ）に示す結果から、シフト量ΔがピッチＰ０の２０％〜６６％の範囲で軸上（中心部）の輝度が０．５（ｃｄ／ｃｍ2）以上であり、サイドローブも発生しないか、或いは極めて小さい値になった。この場合、サイドローブが発生しても軸上輝度の曲線とサイドローブのピークとの間の谷の落ち込みが比較的小さいから、液晶パネル３の偏光板８やＡＧ（アンチ・グレア）の拡散機能で消されてしまい輝度ムラは視認できない。
これに対し、シフト量ΔがピッチＰ０の１０％と７５％では軸上輝度が比較的小さく、しかもサイドローブが０．１５（ｃｄ／ｃｍ2）以上と大きな値になった。
そのため、シフト量Δは上述した（１）式の範囲に設定することが好ましい。
【００３５】
光学シート７は光拡散板６と面接触して密着していてもよいが、図１に示すように、光拡散板６との間に間隙（空気層）１６が設けられていることが好ましい。そして、光学シート７は、光源５から光拡散板６及び間隙１６を通過する光を光学シート７の入射面７ａから入射させ、単位レンズ１４が配列された側の出射面７ｂから光学利得が１以上の光Ｋとして出射させるようにしている。
ここで光学利得とは、光学的な拡散部材の拡散性を示す指標の一つであり、完全拡散する拡散体の輝度を１として、その光の輝度との比で表される。測定する拡散部材の拡散性が方向によって偏っている場合、方向ごとの光学利得を出すことで、その拡散部材の拡散特性を示すことが出来る。
また、完全拡散とは、吸収が０で、かつ、どの方向にも一定の強度をもつとする理想的な拡散体のことを示す。つまり、光学利得が１以上であるということは、その測定する方向に光を集める効果を持つことを示し、その値が大きいほど集光効果が強いことを示す。
【００３６】
図５は、光学シート７に入射する光の光路を示す光路図である。単位レンズ１４は各プリズムレンズ１５の両側に湾曲側面１５ａ、１５ｂを有している。単位レンズ１４，１４間の谷部１８ａは例えば逆円弧状等の凹曲面を形成している。同様に、単位レンズ１４における二つのプリズムレンズ１５，１５間の谷部１８ｂも例えば逆円弧状等の凹曲面を形成している。
隣り合う単位レンズ１４、１４同士の谷部１８ａや１つの単位レンズ１４の二つのプリズムレンズ１５，１５同士の谷部１８ｂをそれぞれ凹曲面で形成することで、集光効果を高めて視覚方向の輝度を向上させると共に光学シート７の視野範囲が拡大する。しかも、凹曲面によって谷部１８ａ、１８ｂの谷線が見えづらくなるためモアレコントラスト低減の効果が得られる。
【００３７】
このように単位レンズ１４が長短の凸曲面をなす湾曲側面１５ａ、１５ｂを四面形成しているため、光学シート７を透過する光源５からの光の輝度分布は正面方向（軸上方向）への集光効果が高く、図１９に示す所謂三角プリズムシートのようにサイドローブが生じ難い。また下記（２）式で規定する湾曲側面１５ａ、１５ｂ等に関して設計に自由度があるため、例えば正面に強く集光したい場合、または広い視野角を得たい場合、それぞれに側面形状を変更することで所望の特性を得ることが可能である。
【００３８】
ここで単位レンズ１４の湾曲側面１５ａ、１５ｂは次のように定義される。
図６は単位レンズ１４を形成する一のプリズムレンズ１５を上下反転して示すものである。図中、プルズムレンズ１５の頂部Ｒ０を境界とする一方のレンズ曲面に着目して基材１３と重なるレンズ一端部をＲ１とする。
そして、湾曲側面１５ａがレンズ一端部Ｒ１から始まるとして、レンズ一端部Ｒ１から頂部Ｒ０までの間で、基材１３の面に対するレンズ曲面の任意の点での接線Ｌの傾斜角度θが２５°以上５０°以下となる点を湾曲側面１５ａ、１５ｂの他端部Ｒ２とする。この場合、レンズ一端部Ｒ１から他端部Ｒ２までの間では任意の点での接線Ｌの基材１３に対する傾斜角度θは５０°を超えた大きさの凸曲面に設定され、レンズ一端部Ｒ１から他端部Ｒ２に向けて漸次接線Ｌの傾斜角度θが小さくなり、レンズ他端部Ｒ２において初めて接線Ｌの傾斜角度θが２５°以上５０°以下の範囲となるものとする。
ここで、他端部Ｒ２における傾斜角度θが２５°未満では視野範囲は広くなるが集光効果が低く、逆に５０°を越えると視野範囲が狭く且つサイドローブが生じ易くなる。
このレンズ一端部Ｒ１から他端部Ｒ２までの間の外側へ凸形状をなすレンズ曲面を湾曲側面１５ａ、１５ｂと定義するものとし、そのレンズ形状は下記（２）式で示す非球面レンズ形状の一般式が適用される。但し、単位レンズ１４において湾曲側面１５ｂは湾曲側面１５ｂ、１５ｂ同士が交差する谷部１８ｂから他端部Ｒ２までの比較的短い長さに規定される。
【００３９】
【数２】
0005217404.tif 000003
【００４０】
上記（２）式について図６に基づいて更に説明する。
図６において、ｚは、単位レンズ１４の幅方向位置変数であるｒの関数であり、その値は単位レンズ１４の高さ方向を表す。（２）式において、ｋ＝０で球面、−１＜ｋ＜０で楕円、ｋ＝−１で放物面、ｋ＜−１で双曲面となり、１／Ｒはｒにかかる係数であり、Ａ、Ｂ、Ｃは補正項係数である。
また上記（２）式における各係数１／Ｒ，Ａ，Ｂ，Ｃが規定範囲（−１０＜１／Ｒ＜１０,−５＜Ａ＜５,−１０＜Ｂ＜１０,−３０＜Ｃ＜３０）から外れた場合、集光効果が得られないか、サイドローブが生じ易い欠点がある。すなわち（２）式で示す湾曲形状と傾斜角度θとがマッチした範囲でのみ、集光効果と視野範囲とのバランスが取れたレンズシートが提供される。
単位レンズ１４を構成するプリズムレンズ１５，１５は、定義された湾曲側面１５ａ、１５ｂを有し、その形状は谷部１８ｂから頂部Ｒ０までの短い長さの湾曲側面１５ｂの範囲で左右対称であることが望ましい。この場合、単位レンズ１４も左右対称となるため、視野範囲の偏りのない光学シート７が形成される。
【００４１】
ここで、単位レンズ１４の各プリズムレンズ１５の頂部Ｒ０を含む先端部１５ｃの第一の態様として、例えば図５及び図７（ａ）に示すように湾曲側面１５ａ、１５ｂが頂部Ｒ０まで延びて一点で交差する先端部１５ｃ１を形成していてもよい。この場合には、頂部Ｒ０が湾曲側面１５ａ、１５ｂの他端部Ｒ２と重なる。そのため、頂部Ｒ０での湾曲側面１５ａ、１５ｂの各傾斜角度θが２５°〜５０°の範囲になる。
また、各プリズムレンズ１５の頂部Ｒ０を含む先端部１５ｃの第二の態様として、図７（ｂ）に示すように、プリズムレンズ１５の湾曲側面１５ａ、１５ｂはプリズムレンズ１５の頂部Ｒ０に到達しない頂部近傍の位置に他端部Ｒ２が設けられ、他端部Ｒ２と頂部Ｒ０を直線で結ぶことで屋根形状の先端部１５ｃ２を形成してもよい。この構成については図６でも一点鎖線で図示されている。先端部１５ｃを直線で屋根形に形成することで視野範囲をより狭めて集光効果を高めることができる。先端部１５ｃを屋根型に形成する場合、各直線はレンズ他端部Ｒ２での接線Ｌと一致するか、接線Ｌの傾斜角度θの範囲（２５°〜５０°）内に含まれることが好ましい。
【００４２】
また、プリズムレンズ１５の先端部１５ｃの第三の態様として、図７（ｃ）に示すように、プリズムレンズ１５の湾曲側面１５ａ、１５ｂの他端部Ｒ２はプリズムレンズ１５の頂部Ｒ０に到達しない頂部Ｒ０近傍の位置とされ、他端部Ｒ２と頂部Ｒ０を曲率半径Ｒの凸曲面で形成して先端部１５ｃ３を形成してもよい。この構成については図６でも実線で図示されている。先端部１５ｃ３を凸曲面で形成することで視野範囲が広がり、耐磨耗性が向上する。
また、上述した第一及び第二の態様における各プリズムレンズ１５の各先端部１５ｃ１、１５ｃ２の頂部Ｒ０を上述した曲率半径Ｒの凸曲面形状で形成して湾曲側面１５ａ、１５ｂに滑らかに接続されるようにしてもよい（図６参照）。頂部Ｒ０を凸曲面形状とすることで視野範囲が広がり、耐磨耗性が向上する。
しかしながら先端部１５ｃの凸曲面の曲率半径Ｒが大きすぎると輝度低下につながるため、その半径Ｒはプリズムレンズ１５のピッチをＰ０としたとき、Ｒ≦Ｐ０／５  であることが望ましい。
【００４３】
また、光学シート７の厚みに関しては光学特性への影響よりはむしろ製造プロセス或いは要求される光学シート７の物理特性等により決められる。
例えば、紫外線硬化 樹脂プロセスにより単位レンズ１４を形成した場合、その基材１３を形成する支持基材フィルムの基材厚さＴは５０ｕｍ以下だとシワが出てしまうので、５０μｍより大きい必要がある。
さらに、使用するバックライト・ユニット２やディスプレイ装置１の寸法サイズによりその基材１３の厚みは変化する。例えば、対角３７インチサイズ以上のディスプレイ装置１では基材１３の厚さＴは０．０５ｍｍから３ｍｍの範囲が望ましい。
【００４４】
一般に液晶パネル３等のディスプレイは周期的な画素構造をもつものが多く、さらに図４により光学シート７も周期的な構造を持つ。そのため、それぞれの周期構造同士のモアレ、３つ以上の周期構造で発生する２次モアレなどの高次のモアレが生じて、見た目を損なう欠点が生じることがある。
そこで光学シート７のレンチキュラー方向を、ディスプレイの周期構造の方向からβの角度だけずれて構成してもよい。ここで角度βは３０°以内に設定することが好ましい。これにより、ディスプレイの周期的な画素構造の横、或いは縦の構造との間で生じるモアレを防止することができる。
【００４５】
モアレを防ぐ手段として、上述の手段に代えて単位レンズ１４を蛇行させる構成を採用してもよく、これによっても上述のモアレを防ぐことが可能である。
またモアレを防ぐ別の手段として、図３に示す単位レンズ１４のレンズピッチＰをランダムとする構成を採用してもよい。この場合、単位レンズ１４の高さとピッチＰを変えてランダムとする構成と単位レンズ１４の高さを変えずにピッチＰのみをランダムとする構成、そしてプリズムレンズ１５のシフト量Δをランダムとする構成を採用することができる。
これらの手段のうち、外観上におけるムラの観点から単位レンズ１４の高さを変えないでピッチＰやシフト量Δをランダムとする手段が望ましく、またそのランダム率（標準ピッチに対するピッチの増減率）は２０％以下が望ましく、更に望ましくは１０％以下が望ましい。
【００４６】
この単位レンズ１４は、透光性の基材１３上にＵＶや放射線硬化樹脂を用いて成形されるか、またはＰＥＴ（ポリエチレンテレフタレート）、ＰＣ（ポリカーボネート）、ＰＭＭＡ（ポリメチルメタクリレート）、ＣＯＰ（シクロオレフィンポリマー）等を用いて、当該技術分野では良く知られている押し出し成形法、射出成形法、あるいは熱プレス成形法によって形成することができる。
【００４７】
本実施形態による光学シート７を含むディスプレイ装置１は上述した構成を備えているから、ランプハウス４の光源５を点灯すると、光源５から液晶パネル３側に出射する光は光拡散板６を透過する。また、光源５から背面側に出射する光は反射板１１で反射し、光拡散板６へ向かう。
光拡散板６へ入射する光は、透明樹脂とその中に分散された透明粒子との屈折率の差０．０２以上、０．５以下となっているために十分な光散乱性能を発揮でき、拡散した均一な光として光拡散板６を出射する。光拡散板６を出射した光は光学シート７の入射面７ａに入射する。
光学シート７では、出射面側に複数の単位レンズ１４が配列されていて、各単位レンズ１４の湾曲側面１５ａ、１５ｂが（２）式を満足する非球面形状の凸曲面を形成しているから、単位レンズ１４毎に四面の湾曲側面１５ａ、１５ｂで屈折して集光させられるため、液晶パネル３に向かう集光効果が大きく、サイドローブの発生を抑制できる。
また、単位レンズ１４の半径Ｒを有する凸曲面形状の各先端部１５ｃ、１５ｃを通過する光は、輝度低下を抑制できる範囲で屈折して視野範囲が広げられる。
そのため、液晶パネル３で集光させられた光は軸上輝度が高く輝度分布の曲線のピーク幅も適度に広げられてサイドローブを抑制できる。
【００４８】
上述のように、本実施形態による光学シート７によれば、各単位レンズ１４の湾曲側面１５ａ、１５ｂによって集光させられ、しかも湾曲側面１５ａ、１５ｂが外側に膨らむ形状とされたことで視野範囲を拡大できると共に集光特性を高めて高輝度でサイドローブのない滑らかな輝度分布特性を発揮できる。
更に各プリズムレンズ１５の先端部１５ｃを曲率半径Ｒ≦Ｐ０／５の凸曲面または直線を交差させた屋根型とすれば、単位レンズ１４中心部の輝度を高く維持して視野範囲を広げることができる。
また本実施形態による光学シート７を含むバックライト・ユニット２及びディスプレイ装置１によれば、視野範囲を拡大できると共に高輝度でサイドローブのない滑らかな輝度分布特性を発揮できる。しかも、光学シート７に互いに直交する２枚のプリズムフィルムやＢＥＦ等が不要であり部品点数を削減できると共に、光学シート７の単位レンズ１４、１４間の谷部１８ａやプリズムレンズ１５、１５間の谷部１８ｂを凹曲面で形成したから谷部１８ａ、１８ｂの谷線が見えにくくなりモアレコントラストを低減できる。
【００４９】
またバックライト・ユニット２においては、ますます薄型化が進んでおり、それに従い光源５と光学シート７間の距離も短くなっているが、本実施形態による光学シート７を使用すれば直下型やサイドエッジ型のバックライト・ユニットにおいても、集光特性を高めて光源５，５同士の間に暗い箇所が生じる等の視認性の悪影響を生じない。
さらにディスプレイ装置１もますます大型化の一途をたどっており、それに伴い光学シート７のサイズも大きくなっていくが、本実施形態による光学シート７は薄くて強度が高く表示品位も優れているため、大型ディスプレイ装置にも十分に使用できる。
【００５０】
なお、本発明における光学シートは、上述した実施形態に限定されるものではない。例えば、単位レンズ１４の湾曲側面１５ａ、１５ｂが左右非対称である場合や、単位レンズ１４の対向する湾曲側面１５ａ、１５ａ同士が非対称である場合等、異なる形状の単位レンズ１４が複数配列されてなる光学シート７も本発明に含まれており、本発明の技術思想を逸脱するものではない。
即ち、本実施形態によるディスプレイ装置１では、光拡散板６と液晶パネル３との間には光学シート７のみが構成されているが、これに限らず、光拡散板６と光学シート７との間や光学シート７と液晶パネル３との間に、拡散シートやレンズシート、マイクロレンズシート、プリズムシート、偏光分離反射シート等を適宜組み合わせても良い。
【００５１】
次に、本発明の第二の実施の形態について図９及び図１０により説明するが、上述した第一の実施形態によるディスプレイ装置１と同一または同様な構成については同一の符号を用いて説明を省略する。図９は第二の実施形態によるバックライトユニット及びディスプレイ装置を示す断面図、図１０は図９に示す光学シートの拡大図である。
図９に示すディスプレイ装置２０において、光学シート２１は、光源５からの光が射出する射出面２１ｂに、第一実施形態による光学シート７と同一構成の単位レンズ１４が配列されてレンチキュラーを構成する。そして、単位レンズ１４に対向する側の光が入射する入射面２１ａには凹部２２が形成されて配列されている。凹部２２は両側を基材１３から突出する凸部２３、２３で仕切られて形成され、単位レンズ１４の整数倍、例えば２倍のピッチで配列されている。
そのため、２つ連なる単位レンズ１４、１４を挟む両側の谷部１８ａ，１８ａに対向して凸部２３、２３が谷部１８ａと反対側に突出して形成されている。なお、凹部２２は第一実施形態による光学シート７における基材１３の入射面７ａを切除して形成してもよいし、或いは基材１３に凸部２３を突出させて形成してもよい。
【００５２】
そのため、図１０に示すように単位レンズ１４の中心線Ｏは必ず凹部２２内にあり、単位レンズ１４の中心を通る光の輝度の低下を抑制し、単位レンズ１４と凹部２２との間にモアレが生じることはない。
しかも、２つの連なる単位レンズ１４，１４間の谷部１８ａを通る線をＯ１とした場合、単位レンズ１４の谷部１８ａの線Ｏ１と対向する凸部２３の中心線Ｏ２とのズレ量は単位レンズ１４のピッチＰの１０％以下となる精度で凸部２３及び凹部２２を形成する。
これにより、例えば図９に示すように光学シート２１を凸部２３を介して光拡散板６と積層して一体化した場合でも、単位レンズ１４の最も集光効果の得られるレンズ中心部（中心線Ｏ）への入射面２１ａに凹部２２即ち空気層を配設できる。そのため、単位レンズ１４の中心部における輝度の低下を最小限に抑えて光学シート２１を光拡散板６と一体化可能となる。
【００５３】
上述の光学シート２１は、図９により、光源５から光拡散板６及び凹部２２による間隙（空気層）を通過してきた光を入射面２１ａから入射し、さらにその光を入射面２１ａの反対側の単位レンズ１４を配列した射出面２１ｂから光学利得が１以上の光Ｋとして出射するものである。
光学利得については第一実施形態で述べた。
【００５４】
以下、本発明の光学シート７、２１の実施例１，２，３と比較例について説明する。
（実施例１）
実施例１として、２軸延伸易接着ＰＥＴフィルムからなるシート状の基材１３上に、単位レンズ１４におけるプリズムレンズ１５，１５の湾曲側面１５ａ、１５ｂを、（２）式において各係数（１／Ｒ）、Ａ，Ｂ、Ｃ、ｒ、ｋを調整することで決定して算出した。また、プリズムレンズピッチＰ０を１００ｕｍ、レンズ高さを５０ｕｍ、シフト量Δを３０ｕｍ、単位レンズ１４のピッチＰを１３０ｕｍとした第一実施形態による光学シート７をＵＶ硬化樹脂にて作製した。
（実施例２）
実施例２として、２軸延伸易接着ＰＥＴフィルムからなるシート状の基材１３上に、単位レンズ１４におけるプルズムレンズ１５，１５の湾曲側面１５ａ、１５ｂを、（２）式において各係数（１／Ｒ）、Ａ，Ｂ、Ｃ、ｒ、ｋを調整することで決定して算出した。また、プリズムレンズピッチＰ０を１００ｕｍ、レンズ高さを５０ｕｍ、シフト量Δを３０ｕｍ、単位レンズ１４のピッチＰを１３０ｕｍとした光学シート７をＰＣ（ポリカーボネート）を用いて押し出し成形により作製した。
【００５５】
（比較例１）
比較例１として、２軸延伸易接着ＰＥＴフィルムからなるシート状の基材１３上に、単位レンズ１４におけるプルズムレンズ１５，１５の湾曲側面１５ａ、１５ｂを、（２）式において各係数（１／Ｒ）、Ａ，Ｂ、Ｃ、ｒ、ｋを調整することで決定して算出した。また、プリズムレンズピッチＰ０を１００ｕｍ、レンズ高さを５０ｕｍ、シフト量Δを８０ｕｍ、単位レンズ１４のピッチＰを１８０ｕｍとした光学シート７をＵＶ硬化樹脂にて作製した。
【００５６】
実施例１、２と比較例１として作製した光学シート７の各サンプルをＳＨＡＲＰ製液晶表示装置「ＡＱＵＯＳ」３２インチに実際に搭載し、その輝度をEZContrast（Eldim社製の視野角測定器）によってそれぞれ測定した。測定された各輝度データの分布を図で示すと、図１１、図１２、図１３に示す通りになった。
その結果、図１１に示す実施例１による光学シート７は輝度が高くサイドローブの生じない良好な特性が得られた。実施例２は、実施例１よりも更に輝度が高くサイドローブの発生しない良好な特性が得られた。比較例１による光学シート７は、輝度が実施例１，２より低くサイドローブが発生した。この場合、サイドローブを除くために光学シート７の光進行方向前方側に拡散フィルムを使用しなければならず、拡散フィルムの使用によって更に中心の輝度が低下する不具合が発生する。
【００５７】
また、実施例３して、実施例２と同じ単位レンズ１４のレンチキュラーを有する光学シートにおいて、光の入射面２１ａ側には単位レンズ１４の２倍のピッチ（２Ｐ）で凹部２２と凸部２３を形成して第二実施形態による光学シート２１を得た。また、凸部２３の高さ（凹部２１の深さ）を３０ｕｍとし、凸部２３の領域を入射面２１ａの平面視による面積比で全体の１０％とした。
そして、全光線透過率が５０％、ヘイズが９９％の光拡散板６を作成し、光拡散板６の光射出面を光学シート２１の凸部２３に塗布厚さ１５ｕｍの粘着剤を塗布して積層して光拡散板６と一体化した光学シート２１のサンプルを作製した。
その結果、一体化前の光学シート２１と比較すると中心部近傍の輝度が若干低下しサイドローブも多少発生したが、実用性が十分高く、一体化前に比べて視野範囲が広がる分布となった。
【図面の簡単な説明】
【００５８】
【図１】本発明の実施の形態による光学シートを含むバックライト・ユニット及びディスプレイ装置の縦断面図である。
【図２】図１に示すバックライト・ユニットに用いられる光学シートの斜視図である。
【図３】図２に示す光学シートのプリズムレンズのシフト量を示す正面図である。
【図４】図２に示す光学シートの平面図である。
【図５】光学シートの単位レンズを透過する光の特性を示す拡大図である。
【図６】単位レンズにおけるプリズムレンズの形状を説明する図である。
【図７】（ａ）、（ｂ）、（ｃ）はプリズムレンズの先端部の各態様を示す要部断面図である。
【図８】単位レンズにおけるプリズムレンズのシフト量と光学特性との関係を示す図である。
【図９】本発明の第二実施形態によるディスプレイ装置の縦断面図である。
【図１０】図９に示す第二実施形態による光学シートの正面図である。
【図１１】実施例１による光学シートの輝度分布を示す図ある。
【図１２】実施例２による光学シートの輝度分布を示す図ある。
【図１３】比較例１による光学シートの輝度分布を示す図ある。
【図１４】実施例３による光学シートの輝度分布を示す図ある。
【図１５】従来のエッジライト方式による液晶表示装置の構成を示す説明図である。
【図１６】従来の直下型方式による液晶表示装置の構成を示す説明図である。
【図１７】従来の液晶表示装置の構成を示す説明図である。
【図１８】従来の液晶表示用光学シートの構成と光の拡散を示す説明図である。
【図１９】従来のＢＥＦの斜視図である。
【図２０】図１８による光学シートから出射される光強度分布と理想的な光強度分布を示す説明図である。
【符号の説明】
【００５９】
１  ディスプレイ装置
２  ディスプレイ・ユニット
３  液晶パネル
５  光源
６  光拡散板
７、２１  光学シート
１４  単位レンズ
１５  プリズムレンズ
１５ａ、１５ｂ  湾曲側面
１５ｃ、１５ｃ１、１５ｃ２、１５ｃ３  先端部
１８ａ、１８ｂ  谷部
２２  凹部
２３  凸部
Ｒ１  レンズ一端部
Ｒ２  他端部
Ｒ０  頂部
Ｌ  接線
Ｐ０  プリズムレンズのピッチ
Ｐ  単位レンズのピッチ
Δ  シフト量
【図１】
0005217404.tif 000005
【図２】
0005217404.tif 000006
【図３】
0005217404.tif 000007
【図４】
0005217404.tif 000008
【図５】
0005217404.tif 000009
【図６】
0005217404.tif 000010
【図７】
0005217404.tif 000011
【図８】
0005217404.tif 000012
【図９】
0005217404.tif 000013
【図１０】
0005217404.tif 000014
【図１１】
0005217404.tif 000015
【図１２】
0005217404.tif 000016
【図１３】
0005217404.tif 000017
【図１４】
0005217404.tif 000018
【図１５】
0005217404.tif 000019
【図１６】
0005217404.tif 000020
【図１７】
0005217404.tif 000021
【図１８】
0005217404.tif 000022
【図１９】
0005217404.tif 000023
【図２０】
0005217404.tif 000024